(57)【特許請求の範囲】
【請求項１】
導光板の出射面側に光制御部材が位置するように、前記導光板と前記光制御部材をフレーム内に収容し、光源から発せられた光を導光板及び光制御部材を介して面状に出射する面光源装置において、
前記光制御部材の少なくとも一縁部に形成された舌片が、前記フレームに形成された舌片支持部で支持されるとともに、前記舌片に形成された穴に、前記舌片支持部に形成された係合突起が隙間をもって係合され、
前記舌片支持部に、前記フレームの側面から前記係合突起近傍まで、前記フレームの側面に直交する一対の切り欠き溝が形成されることによって、撓み変形可能な片持ち梁状態のストッパが形成され、
前記舌片支持部で支持された前記舌片の動きが舌片留め具と前記係合突起で制限されるようになっており、
前記舌片留め具は、前記ストッパを退避位置まで弾性変形させた後、前記フレームに形成された舌片留め具係合部に挿入され、前記ストッパを元の位置まで復元させることにより、前記フレームに着脱可能に保持されることを特徴とする面光源装置。
【請求項２】
導光板の出射面側に光制御部材が位置するように、前記導光板と前記光制御部材をフレーム内に収容し、光源から発せられた光を導光板及び光制御部材を介して面状に出射する面光源装置において、
前記光制御部材の少なくとも一縁部に形成された舌片が、前記フレームに形成された舌片支持部で支持され、
この舌片支持部で支持された前記舌片の動きを制限する舌片留め具は、前記舌片の上面側に位置する舌片押さえ部と、前記フレームの側面に対向するように位置する側面プレート部とからなり、弾性変形可能な板状部材を略Ｌ字形に折り曲げた形状に形成されて、前記舌片押さえ部から前記側面プレート部にかけて係合穴が形成されており、
前記フレームには、前記舌片留め具の前記舌片押さえ部の幅方向両端部に係合して、前記舌片押さえ部が前記舌片から離れるのを制限する舌片留め具係合部と、前記舌片留め具の前記舌片押さえ部側の前記係合穴に係合する上面側突起と、前記舌片留め具の前記側面プレート部側の前記係合穴に係合する側面側突起と、が形成され、
前記舌片留め具は、前記舌片押さえ部が弾性変形させられた状態で前記舌片留め具係合部に係合されて前記上面側突起を乗り越えると、元の形状に復元した状態で前記舌片留め具係合部に係合すると共に、前記係合穴に前記上面側突起と前記側面側突起が係合し、前記フレームに着脱可能に保持されることを特徴とする面光源装置。
【請求項３】
導光板の出射面側に光制御部材が位置するように、前記導光板と前記光制御部材をフレーム内に収容し、光源から発せられた光を導光板及び光制御部材を介して面状に出射する面光源装置において、
前記光制御部材の少なくとも一縁部に形成された舌片が、前記フレームに形成された舌片支持部で支持され、
この舌片支持部で支持された前記舌片の動きを制限する舌片留め具は、前記舌片の上面側に位置する舌片押さえ部と、前記フレームの側面に対向するように位置する側面プレート部とからなり、弾性変形可能な板状部材を略Ｌ字形に折り曲げた形状に形成されて、少なくとも前記舌片押さえ部に係合穴が形成され、前記側面プレート部の下端にフックが折り曲げ形成されており、
前記フレームには、前記舌片留め具の前記舌片押さえ部の幅方向両端部に係合して、前記舌片押さえ部が前記舌片から離れるのを制限する舌片留め具係合部と、前記舌片留め具の前記係合穴に係合する上面側突起と、前記舌片留め具の前記フックが引っかけられるフック係合部と、が形成され、
前記舌片留め具は、前記舌片押さえ部が弾性変形させられた状態で前記舌片留め具係合部に係合されて前記上面側突起を乗り越えると、元の形状に復元した状態で舌片留め具係合部に係合すると共に、前記係合穴に前記上面側突起が係合し、前記フックが前記フック係合部に引っかかり、前記フレームに着脱可能に保持されることを特徴とする面光源装置。
【請求項４】
前記舌片に穴が形成され、この穴に隙間をもって係合する係合突起が前記舌片支持部に形成されたことを特徴とする請求項２又は３に記載の面光源装置。
【請求項５】
前記請求項１〜４のいずれか１項に記載の面光源装置と、この面光源装置によって面状に照明される画像表示パネルとを備えたことを特徴とする画像表示装置。
【発明の詳細な説明】
【０００１】
【発明の属する技術分野】
この発明は、携帯型パソコン，ナビゲーション装置，各種モニター等に使用される液晶表示パネル等の画像表示パネルを面状に照明する面光源装置及びこの面光源装置を備えた画像表示装置に関する。
【０００２】
【従来の技術】
例えば、画像表示装置としての液晶表示装置は、携帯型パソコン等に使用され、面光源装置から出射される面状の照明光を液晶表示パネル（画像表示パネル）に照射し、液晶表示パネルの表面上に画像を表示させるようになっている。
【０００３】
図１６は、このような液晶表示装置に使用される面光源装置１００の一例を示すものである。この図１６に示す面光源装置１００は、プラスチック製のフレーム１０１の内部に反射シート１０２，導光板１０３，複数枚の光制御部材１０４〜１０７が順次重ねて収容されると共に、導光板１０３の一側面（入射面）１０８側に光源としての蛍光ランプ１１０が位置するようにフレーム１０１内に収容され、この蛍光ランプ１１０の光を反射して導光板１０３の入射面１０８側に導くリフレクター１１１がねじ１１２で固定されるようになっている。そして、この面光源装置１００の上部に液晶表示パネル（図示せず）が設置され、面光源装置１００が液晶表示パネル等と共に図外の携帯型パソコン等のケース内に収容・固定されるようになっている。
【０００４】
上記した面光源装置１００は、液晶表示パネルが組み付けられるまでは面光源装置単体として搬送されるため、導光板１０３や光制御部材１０４〜１０７等が搬送時の振動や衝撃等によりフレーム１０１から離脱してバラバラになると、導光板１０３や光制御部材１０４〜１０７等が傷付いたり、光制御部材１０４〜１０７間や導光板１０３と光制御部材１０４との間にゴミが侵入する虞がある。従って、図１６に示すように、従来の面光源装置１００は、最上部に位置する光制御部材１０７の両端縁をテープ１１３でフレーム１０１に貼り付けて、光制御部材１０４〜１０７や導光板１０３等がフレーム１０１から離脱してバラバラにならないようになっていた。
【０００５】
しかし、面光源装置１００は、蛍光ランプ１１０から発せられる熱により導光板１０３や光制御部材１０４〜１０７等が熱膨張するため、図１６に示すように、最上部の光制御部材１０７の両端縁がテープ１１３，１１３でフレーム１０１に強固に固定されていると、最上部の光制御部材１０７が他の光制御部材１０６から浮き上がるように変形したり、皺を発生するようになり、均一で良質の面照明が困難になる。
【０００６】
このような従来例の不具合を解消するため、図１７や図１８に示すような面光源装置１００が開発された（特開平１１−２８１９６６号公報参照）。
【０００７】
図１７の面光源装置１００は、ポジショナ１１４の一対のピン１１５ａ，１１５ｂのうちの一方１１５ｂを光制御部材１１６に形成した長穴１１７に隙間をもって係合し、その一方のピン１１５ｂと他方のピン１１５ａの両方をフレーム１０１に形成した穴１１８，１１８に圧入することにより、ポジショナ１１４をフレーム１０１に固定して、ポジショナ１１４のヘッド１２０及び一方のピン１１５ｂで光制御部材１１６の遊動量を制限すると共に、光制御部材１１６の熱膨張を許容するようになっている。
【０００８】
又、図１８の面光源装置１００は、フレーム１０１に形成したピン１２１に光制御部材１１６の長穴１１７を隙間をもって係合すると共に、フレーム１０１に形成した舌片支持部１２２に光制御部材１１６の舌片１２３を係合するようになっている。そして、断面コ字形状の接地クリップ１２４は、その上片部１２５のスリット１２６がフレーム１０１のピン１２１に係合するように、フレーム１０１の接地クリップ係合段部１２７に係合されるようになっている。これにより、この面光源装置１００は、フレーム１０１のピン１２１と接地クリップ１２４で光制御部材１１６の遊動量を制限すると共に、光制御部材１１６の熱膨張を許容するようになっている。
【０００９】
【発明が解決しようとする課題】
しかしながら、図１７に示す従来の面光源装置１００は、ポジショナ１１４のピン１１５ａ，１１５ｂがフレーム１０１の穴１１８，１１８に単に圧入されるだけであるため、ピン１１５ａ，１１５ｂが搬送時等の衝撃によってピン穴１１８，１１８から抜け出る虞があった。
【００１０】
又、図１８に示す面光源装置１００は、断面コ字形状の接地クリップ１２４を接地クリップ係合段部１２７に係合し、接地クリップ１２４の上片部１２５及び下片部１２８の弾性変形力で接地クリップ係合段部１２７を挟み、接地クリップ１２４と接地クリップ係合段部１２７との接触部に生じる摩擦抵抗力のみで接地クリップ１２４が接地クリップ係合段部１２７に係止されるため、運搬時等に作用する振動や衝撃で接地クリップ１２４が接地クリップ係合段部１２７から抜け出てしまうという虞があった。
【００１１】
そこで、本発明は、このような従来例の不具合の発生の虞がなく、高品質の面照明が可能な面光源装置及び該面光源装置を備えた画像表示装置を提供することを目的とする。
【００１２】
【課題を解決するための手段】
請求項１の発明は、導光板の出射面側に光制御部材が位置するように、前記導光板と前記光制御部材をフレーム内に収容し、光源から発せられた光を導光板及び光制御部材を介して面状に出射する面光源装置に関するものである。そして、前記光制御部材の少なくとも一縁部に形成された舌片が、前記フレームに形成された舌片支持部で支持されるとともに、前記舌片に形成された穴に、前記舌片支持部に形成された係合突起が隙間をもって係合される。また、前記舌片支持部に、前記フレームの側面から前記係合突起近傍まで、前記フレームの側面に直交する一対の切り欠き溝が形成されることによって、撓み変形可能な片持ち梁状態のストッパが形成される。そして、前記舌片支持部で支持された前記舌片の動きが舌片留め具と前記係合突起で制限されるようになっている。また、前記舌片留め具は、前記ストッパを退避位置まで弾性変形させた後、前記フレームに形成された舌片留め具係合部に挿入され、前記ストッパを元の位置まで復元させることにより、前記フレームに着脱可能に保持される。
【００１３】
このような構成によれば、ストッパを退避位置まで弾性変形しない限り、舌片留め具はフレームの舌片留め具係合部から外れてしまうようなことがない。従って、本発明は、面光源装置の運搬時等に振動や衝撃が作用しても、舌片留め具が振動や衝撃で舌片留め具係合部から外れるようなことがなく、舌片留め具でフレーム内の導光板及び光制御部材の動きを押さえることができる。
【００１４】
また、請求項２の発明は、導光板の出射面側に光制御部材が位置するように、前記導光板と前記光制御部材をフレーム内に収容し、光源から発せられた光を導光板及び光制御部材を介して面状に出射する面光源装置に関するものである。そして、前記光制御部材の少なくとも一縁部に形成された舌片が、前記フレームに形成された舌片支持部で支持される。また、この舌片支持部で支持された前記舌片の動きを制限する舌片留め具は、前記舌片の上面側に位置する舌片押さえ部と、前記フレームの側面に対向するように位置する側面プレート部とからなり、弾性変形可能な板状部材を略Ｌ字形に折り曲げた形状に形成されて、前記舌片押さえ部から前記側面プレート部にかけて係合穴が形成されている。また、前記フレームには、前記舌片留め具の前記舌片押さえ部の幅方向両端部に係合して、前記舌片押さえ部が前記舌片から離れるのを制限する舌片留め具係合部と、前記舌片留め具の前記舌片押さえ部側の前記係合穴に係合する上面側突起と、前記舌片留め具の前記側面プレート部側の前記係合穴に係合する側面側突起と、が形成されている。そして、前記舌片留め具は、前記舌片押さえ部が弾性変形させられた状態で前記舌片留め具係合部に係合されて前記上面側突起を乗り越えると、元の形状に復元した状態で前記舌片留め具係合部に係合すると共に、前記係合穴に前記上面側突起と前記側面側突起が係合し、前記フレームに着脱可能に保持されるようになっている。
【００１５】
このような構成によれば、舌片留め具の舌片押さえ部が弾性変形させられた状態で上面側突起を乗り越え、舌片留め具の係合穴と上面側突起及び側面側突起との係合が解除されない限り、舌片留め具を舌片留め具係合部から取り外すことができない。従って、請求項２の発明は、面光源装置の運搬時等に振動や衝撃が作用しても、舌片留め具が振動や衝撃で舌片留め具係合部から外れるようなことがなく、舌片留め具でフレーム内の導光板及び光制御部材の動きを押さえることができる。
【００１６】
請求項３の発明は、導光板の出射面側に光制御部材が位置するように、前記導光板と前記光制御部材をフレーム内に収容し、光源から発せられた光を導光板及び光制御部材を介して面状に出射する面光源装置に関するものである。そして、前記光制御部材の少なくとも一縁部に形成された舌片が、前記フレームに形成された舌片支持部で支持される。また、この舌片支持部で支持された前記舌片の動きを制限する舌片留め具は、前記舌片の上面側に位置する舌片押さえ部と、前記フレームの側面に対向するように位置する側面プレート部とからなり、弾性変形可能な板状部材を略Ｌ字形に折り曲げた形状に形成されて、少なくとも前記舌片押さえ部に係合穴が形成され、前記側面プレート部の下端にフックが折り曲げ形成されている。また、前記フレームには、前記舌片留め具の前記舌片押さえ部の幅方向両端部に係合して、前記舌片押さえ部が前記舌片から離れるのを制限する舌片留め具係合部と、前記舌片留め具の前記係合穴に係合する上面側突起と、前記舌片留め具の前記フックが引っかけられるフック係合部と、が形成されている。そして、前記舌片留め具は、前記舌片押さえ部が弾性変形させられた状態で前記舌片留め具係合部に係合されて前記上面側突起を乗り越えると、元の形状に復元した状態で舌片留め具係合部に係合すると共に、前記係合穴に前記上面側突起が係合し、前記フックが前記フック係合部に引っかかり、前記フレームに着脱可能に保持されるようになっている。
【００１７】
このような構成によれば、舌片留め具の舌片押さえ部が弾性変形させられた状態で上面側突起を乗り越え、舌片留め具の係合穴と上面側突起との係合及び舌片留め具のフックとフック係合部との係合が解除されない限り、舌片留め具を舌片留め具係合部から取り外すことができない。従って、請求項３の発明は、面光源装置の運搬時等に振動や衝撃が作用しても、舌片留め具が振動や衝撃で舌片留め具係合部から外れるようなことがなく、舌片留め具でフレーム内の導光板及び光制御部材の動きを押さえることができる。
【００１８】
請求項４の発明は、前記の請求項２又は３の発明に係る面光源装置において、前記舌片に穴が形成され、この穴に隙間をもって係合する係合突起が前記舌片支持部に形成されたことを特徴としている。
【００１９】
請求項５の発明は、前記請求項１〜４のいずれかに記載の面光源装置と、この面光源装置によって面状に照明される画像表示パネルとを備えたことを特徴とする画像表示装置に関するものである。
【００２０】
本発明の画像表示装置によれば、面光源装置が運搬時等に振動や衝撃を受けても、舌片留め具がフレームから外れることがなく、面光源装置のフレーム内の導光板や光制御部材がバラバラになることがないため、導光板や光制御部材が傷付いたり、導光板と光制御部材との間にゴミが侵入するのを防止でき、異常発光の発生を効果的に防止できる。その結果、本発明の画像表示装置は、高品質の画像表示を行うことができる。
【００２１】
【発明の実施の形態】
以下、本発明の実施の形態を図面に基づき詳述する。
【００２２】
［第１の実施の形態］
図１〜図４は、本発明の第１の実施の形態に係る面光源装置１を示すものである。このうち、図１は、面光源装置１の分解斜視図である。図２は、面光源装置１の光制御部材２〜５とフレーム６の取付部分を示す平面図である。又、図３は、図２のＡ−Ａ線に沿って切断して示す断面図であり、図４は、図２のＢ方向から見た図である。
【００２３】
（面光源装置及び画像表示装置の概略構成）
これらの図に示すように、面光源装置１は、構成部品を収容又は固定するフレーム６と、このフレーム６内に順次重ねて収容される反射シート７，導光板８，及び複数枚の光制御部材２〜５と、導光板８の一側面（入射面）１０に対向するようにフレーム６内に収容される蛍光ランプ（光源）１１と、この蛍光ランプ１１の光を反射して前記導光板８の一側面１０へ導くリフレクター１２とを備えている。また、図１に示すように、面光源装置１の最上部の光制御部材５の上方に液晶表示パネルや広告表示パネル等の画像表示パネル１３を配置し、面光源装置１から出射される面状の照明光で画像表示パネル１３を照明するようにした画像表示装置１４が構成される。
【００２４】
（フレーム）
このうち、フレーム６は、ＰＣ（ポリカーボネート）やＰＭＭＡ（ポリメタクリル酸メチル）等に白色の顔料を混練してなる合成樹脂を射出成形することにより略矩形形状に形成されており、上記反射シート７，導光板８及び複数枚の光制御部材２〜５を収容支持すると共に蛍光ランプ１１を収容したリフレクター１２を取り付ける第１収容部１５と、液晶表示パネル等の画像表示パネル１３を最上部の光制御部材５の表面に対して僅かな隙間をもって収容支持する第２収容部１６とが形成されている。
【００２５】
又、フレーム６には、光制御部材２〜５の少なくとも一縁部に形成された舌片１７〜２０を支持する舌片支持部２１が形成されている。そして、このフレーム６の舌片支持部２１には、舌片１７〜２０の穴２２ａ〜２２ｄに係合する略円柱状の係合突起２３が形成されている。又、フレーム６には、舌片支持部２１の形成位置に合わせて舌片留め具係合部２４が形成されている。
【００２６】
舌片支持部２１は、フレーム６の一部を切り欠くように形成されている。そして、舌片支持部２１に形成された係合突起２３が舌片１７〜２０の穴２２ａ〜２２ｄに隙間を持って係合するようになっている。ここで、係合突起２３は、その高さ寸法が光制御部材２〜５の厚さ寸法の和よりも大きくなるように形成されており、舌片留め具２５が舌片留め具係合部２４に係合された状態において、舌片１７〜２０が係合突起２３から外れない寸法で、且つ、舌片留め具２５の移動（図２の上方への移動）を制限するストッパとしても機能する寸法に形成されている。
【００２７】
舌片留め具係合部２４は、舌片留め具２５の幅方向両端部に係合するようになっており、舌片留め具２５の幅方向一端部に係合する第１係合部分２４ａと、舌片留め具２５の幅方向他端部に係合する第２係合部分２４ｂとからなっている。そして、これら第１係合部分２４ａと第２係合部分２４ｂは、舌片支持部２１の両側にそれぞれ位置しており、最上部の光制御部材５の上面とほぼ同様の高さに位置して舌片留め具２５を支持する下壁２６と、舌片留め具２５の上面との間に僅かな隙間が生じるように係合する上壁２７と、舌片留め具２５の幅方向端縁との間に僅かな隙間が生じるように係合する側壁２８とを備え、舌片留め具２５をスライド可能に収容するようになっている。
【００２８】
そして、舌片支持部２１の幅方向（図２の左右方向）略中央部には、図５及び図６に示すように、撓み変形可能な片持ち梁状態に形成されたストッパ３０が形成されている。すなわち、このストッパ３０は、図２〜図６に示すように、フレーム６の舌片支持部２１の下方を部分的に切り欠いて薄肉化し、且つ、この舌片支持部２１の薄肉化した部分にフレーム６の側面と直交する方向に延びる一対の切り欠き溝３１を形成することにより、弾性変形可能な片持ち梁形状になっている。ここで、一対の切り欠き溝３１は、その先端部が係合突起２３の近傍位置にあるように形成されており、その先端部が略円弧形状に形成されている。その結果、ストッパ３０の根本部に撓み変形に伴う応力集中が生じにくくなり、ストッパ３０の耐久性が向上する。また、ストッパ３０の高さ寸法は、全光制御部材２〜５の厚さ寸法と舌片留め具２５の厚さ寸法との和よりも僅かに大きな寸法であり、舌片留め具２５がストッパ３０と舌片留め具係合部２４の上壁２７との間から抜け出るような不具合を生じない寸法に決定されている。また、このストッパ３０は、図３及び図５に示すように、断面形状が略鉤形形状を呈しており、舌片留め具２５を舌片留め具係合部２４ａ（２４），２４ｂ（２４）に係合させる際に、舌片留め具２５の先端で押し下げられ易くするため、起立壁３２の上端の舌片留め具２５挿入側の端縁部３３が大きくＣ面取りされている。尚、図２〜図３に示すように、本実施の形態に係る面光源装置１は、係合突起２３の頂部を切り欠いて段部３４を形成し、その段部３４に液晶表示パネル等の画像表示パネル１３を係合するようにしてある。
【００２９】
（舌片留め具）
舌片留め具２５は、図７に詳細を示すように、金属又はプラスチック製の略矩形形状の板状体であり、その一辺側に係合突起２３に隙間をもって係合する略半円形状の係合凹所３５が形成されている（図２参照）。また、この舌片留め具２５は、４隅がＲ面取りされ、舌片留め具係合部２４に円滑に係合できるように工夫されている。このように形成された舌片留め具２５は、その幅方向両端部を舌片留め具係合部２４に係合させられた状態で押し込まれると、係合凹所３５の端縁がストッパ３０のＣ面取りされた端縁部３３に接触し、ストッパ３０を撓み変形させる（図５及び図６参照）。そして、この舌片留め具２５が図２及び図３に示す位置まで挿入されると、ストッパ３０が元の位置に復元する。その結果、舌片留め具２５は、係合突起２３，舌片留め具係合部２４及びストッパ３０で３次元的な動き（光制御部材５の表面に沿ったＸＹ座標面上の動き及びこのＸＹ座標面に直交するＺ軸方向の動き）が制限され、舌片１７〜２０の浮き上がりを制限することができる。一方、舌片留め具２５を舌片留め具係合部２４から取り外すには、ストッパ３０を図５及び図６に示す退避位置まで撓み変形させ、舌片留め具係合部２４の上壁２７とストッパ３０の起立壁３２の上端との隙間を舌片留め具２５の板厚以上にする。これにより、舌片留め具２５を舌片留め具係合部２４から取り外すことができ、舌片１７〜２０の穴２２ａ〜２２ｄとフレーム６の係合突起２３の係合を解除することが可能になる。
【００３０】
ここで、舌片留め具２５は、図３及び図４に示すように、舌片留め具係合部２４の上壁２７との間に僅かに隙間が生じるようになっている。また、舌片１７〜２０の穴２２ａ〜２２ｄとフレーム６の係合突起２３との間に隙間が生じるようになっている。そのため、本実施の形態によれば、光制御部材２〜５の温度変化や湿度変化による膨張又は収縮が許容される。しかし、舌片留め具２５が舌片留め具係合部２４，係合突起２３及びストッパ３０で３次元的な動きが制限されるため、舌片１７〜２０が係合突起２３から外れるようなことがない。
【００３１】
（光制御部材）
導光板８の出射面３６に対向するように配置される光拡散シート（第１の光制御部材）２と、この光拡散シート２の上面側に配置される一対のプリズムシート（第２及び第３の光制御部材）３，４と、これら一対のプリズムシート３，４の上面側に配置される光拡散性を備えた保護シート（第４の光制御部材）５とが光制御部材を構成している。これら第１〜第４の光制御部材２〜５は、光透過性に優れた樹脂材料で形成されており、導光板８の出射面３６に対応するような略矩形形状で、且つ、蛍光ランプ１１と平行な方向の長さが蛍光ランプ１１に直交する方向の長さよりも大きくなるように形成されている。
【００３２】
そして、これら第１〜第４の光制御部材２〜５は、それぞれ蛍光ランプ１１に対して直交する方向の一対の辺のうちの一方に略矩形形状の舌片１７〜２０が形成されており、この舌片１７〜２０に穴２２ａ〜２２ｄが形成されている。この舌片１７〜２０の穴２２ａ〜２２ｄは、既に説明したように、舌片支持部２１の係合突起２３に隙間をもって係合するようになっており、それぞれ第１〜第４の光制御部材２〜５の温度変化や湿度変化による膨張量又は収縮量とフレーム６の膨張量又は収縮量の差を吸収できる程度の隙間が係合突起２３との間に生じる寸法に形成されている。又、これら第１〜第４の光制御部材２〜５のうちで最上部に位置する第４の光制御部材５は、図１に示すように、舌片２０が形成された一方の辺に対向する他方の辺がテープ３７によりフレーム６のテープ固定部３８に固定されるようになっている。
【００３３】
このように形成された第１〜第４の光制御部材２〜５は、舌片１７〜２０の係合穴２２ａ〜２２ｄが係合突起２３に係合された状態で舌片支持部２１に載置され、舌片留め具２５がフレーム６の舌片留め具係合部２４に係合され、舌片留め具２５が舌片留め具係合部２４，係合突起２３及びストッパ３０で３次元的な動きが制限されると共に、第４の光制御部材５がテープ３７でフレーム６のテープ固定部３８に固定されることにより、反射シート７及び導光板８とともにフレーム６からの浮き上がりが制限され、フレーム６の第１収容部１５内でのずれ動きが制限される。
【００３４】
（導光板）
導光板８は、ＰＣ，ＰＭＭＡ，シクロオレフィン系樹脂等の光透過性に優れた樹脂材料により形成されており、蛍光ランプ１１に直交する方向の断面形状が蛍光ランプ１１から遠ざかるに従って薄くなるような楔形形状を呈し、出射面（上面）３６形状が略矩形形状を呈するようになっている。この導光板８は、入射面１０から内部に入射した蛍光ランプ１１からの光が導光板８内部を伝播し、その伝播の過程において出射面３６に対して臨界角以下の角度で入射する光を出射面３６から出射するようになっている。尚、導光板８の出射面３６から光を出射させるための手段については、従来より種々のものが知られており、これらのものから適宜選択して採用することができる。
【００３５】
（反射シート）
反射シート７は、光反射性に優れた樹脂材料でシート状に形成されたものであり、導光板８の出射面３６と反対側の面（下面）に対応するような矩形形状を呈し、導光板８の下面から出射した光を反射して導光板８内部に戻すように機能する。この反射シート７は、フレーム６の第１収容部１５及び後述するリフレクター１２の下面部４０で支持されるようになっている。
【００３６】
（リフレクター）
リフレクター１２は、蛍光ランプ１１の光を反射して導光板８の入射面１０側に導くことができるように、薄板状の金属を折り曲げることにより、蛍光ランプ１１を囲むような断面略コ字形状に形成されている。そして、このリフレクター１２の立ち上がり壁面部４１及び上面部４２がフレーム６内に収容され、このリフレクター１２の下面部４０がねじ４３でフレーム６のリフレクター固定部４４に固定され、リフレクター１２の下面部４０が反射シート７，導光板８及び光制御部材２〜５の蛍光ランプ１１側端部を支持するようになっている。
【００３７】
（第１の実施の形態の作用・効果）
以上のように構成された本実施の形態に係る面光源装置１は、舌片留め具２５の動きが舌片留め具係合部２４，係合突起２３及びストッパ３０によって３次元的に制限されているため、ストッパ３０を撓み変形させない限り、舌片留め具２５を舌片留め具係合部２４から取り外すことができない。したがって、本実施の形態に係る面光源装置１は、搬送時等に振動や衝撃が作用しても、舌片留め具２５が振動や衝撃で舌片留め具係合部２４から外れてしまうようなことがなく、導光板８及び複数枚の光制御部材２〜５がフレーム６内の所定部位に確実に保持される。その結果、本実施の形態の面光源装置１は、複数枚の光制御部材や導光板がバラバラになって傷付くようなことがなく、ゴミが各光制御部材２〜５の間や光制御部材と導光板との間に侵入して異常発光等の照明不良を生じるのを効果的に防止することができる。
【００３８】
又、本実施の形態に係る面光源装置１は、光制御部材２〜５の舌片１７〜２０の動きを係合突起２３及び舌片留め具２５で制限し、最上部の光制御部材５の舌片２０に対向する側の辺をテープ３７でフレーム６に固定するようになっており、光制御部材２〜５の温度変化や湿度変化に起因する膨張・収縮を係合突起２３と穴２２ａ〜２２ｄとの隙間で吸収しつつ、光制御部材２〜５のずれ動きを制限できるため、光制御部材２〜５に応力を生じさせて皺が発生するようなことがなく、光制御部材２〜５に生じる応力や変形に起因する照明品質の低下を招くことがない。従って、本実施の形態に係る面光源装置１は、高品質の面照明が可能になる。
【００３９】
又、本実施の形態に係る面光源装置１に画像表示パネル１３を組み付けてなる画像表示装置１４は、運搬時等の振動や衝撃が作用しても、導光板８及び光制御部材２〜５をフレーム６内の所定部位に確実に保持でき、異物が各光制御部材２〜５間や光制御部材２と導光板８との間に侵入するのを効果的に防止できるため、照明光に異常発光が生じにくく、画像表示パネル１３を高品質の照明光で照明でき、画像表示品質の向上を図ることが可能になる。
【００４０】
（第１の実施の形態の応用例）
本実施の形態に係る面光源装置１は、第１〜第４の光制御部材２〜５を使用し、第１の光制御部材２で導光板８の出射面３６から出射する光を拡散させて輝度の均一化を図るとともに、第２及び第３の光制御部材３，４で導光板８の出射面３６の法線方向へ光の進行方向を変えて、照明に有効に利用し得る光の割合を増大せしめ、明るく均一な面照明を可能にする態様を例示している。ここで、第１の実施の形態の面光源装置１は、例えば、第２の光制御部材３が蛍光ランプ１１に直交する方向に延びる断面略三角形状のプリズム面が蛍光ランプ１１の軸線方向に沿って多数形成され、第３の光制御部材４が第２の光制御部材３のプリズム面に略直交する方向へ延びる断面略三角形状のプリズム面が多数形成されるようになっている。第４の光制御部材５は、主として上記の如きプリズム面の傷付きを防止するための保護シートとして用いられるが、照明光のより一層の均一化を図るために拡散シートとしての機能が必要に応じて与えられる。
【００４１】
しかし、本発明は、この第１の実施の形態に係る面光源装置１の態様に限られるものでなく、例えば、第１の光制御部材２を省略してもよい。又、導光板８の下面に第２の光制御部材３のプリズム面と同様のプリズム面を形成し、第１の光制御部材２及び第２の光制御部材３を省略するようにしてもよい。加えて、本発明は、導光板８の出射面３６側に少なくとも一枚の光制御部材を配置する構成であればよい。即ち、導光板や光制御部材の具体的な構成としては、この種の面光源装置において従来より知られている種々の構成を採用することができる。
【００４２】
［第２の実施の形態］
図８〜図１０は、本発明の第２の実施の形態に係る面光源装置１の舌片支持部２１近傍の詳細を示すものである。尚、図８は、舌片支持部２１近傍の平面図である。また、図９は図８のＣ−Ｃ線に沿って切断して示す断面図であり、図１０は図８のＤ方向から見た図である。また、本実施の形態において、前述の第１の実施の形態の面光源装置１と同様の構成部分には同一符号を付し、前述の第１の実施の形態と重複する説明を省略する。
【００４３】
これらの図に示すように、本実施の形態に係る面光源装置１は、舌片留め具５０の形状及びその舌片留め具５０を係止するためのフレーム６側構造が前述の第１の実施の形態に係る面光源装置１と相違する。
【００４４】
すなわち、本実施の形態に係る面光源装置１の舌片留め具５０は、図１１に詳細を示すように、弾性変形可能な薄板状金属又は樹脂材料で形成されており、最上位の舌片２０の浮き上がりを押さえる舌片押さえ部５１と、この舌片押さえ部５１に直交するように折り曲げられた側面プレート部５２とからなり、図１１に示すように、断面形状が略Ｌ字形状を呈している。そして、この舌片留め具５０には、舌片押さえ部５１から側面プレート部５２に亘って係合穴５３が形成されている。この係合穴５３のうちの舌片押さえ部５１側の部分が舌片支持部２１の上面側端縁部に形成された上面側突起５４に係合し、この係合穴５３のうちの側面プレート部５２側の部分がフレーム６の側面側に突出形成された側面側突起５５に係合するようになっている。
【００４５】
ここで、上面側突起５４は、舌片留め具係合部２４の上壁２７とオーバーラップする高さ寸法に形成されており、上述のとおり舌片留め具５０の係合穴５３に係合された状態において、舌片留め具５０が光制御部材５の表面（ＸＹ座標面）に沿った方向にズレ動こうとすると、舌片留め具５０の係合穴５３の端縁に当接して、舌片留め具５０の抜け止めストッパ（ＸＹ座標面に沿った方向への抜け止めストッパ）として機能する。また、側面側突起５５は、上述のとおり舌片留め具５０の係合穴５３に係合された状態において、舌片留め具５０が光制御部材５の表面に直交する方向（Ｚ軸方向）にズレ動こうとすると、舌片留め具５０の係合穴５３の端縁に当接して、舌片留め具５０の抜け止めストッパ（Ｚ軸方向への抜け止めストッパ）として機能する。
【００４６】
そして、上面側突起５４には、フレーム６の側面側端縁近傍から斜めに切り落とされたような傾斜面５６が形成されている。また、側面側突起５５には、その下端縁近傍から上方へ向かって斜めに切り落とされたような傾斜面５７が形成されている。これら上面側突起５４の傾斜面５６と側面側突起５５の傾斜面５７は、図１２に示すように、舌片留め具５０の半時計回り方向への倒れ込みを可能にし、舌片留め具５０の幅方向両端部と舌片留め具係合部２４との係合を容易化し、舌片留め具５０の係合穴５３と上面側突起５４及び側面側突起５５との係合を容易化する。
【００４７】
このように構成された本実施の形態の面光源装置１は、フレーム６を部分的に切り欠いて形成された舌片支持部２１の係合突起２３に、各光制御部材２〜５の舌片１７〜２０の穴２２ａ〜２２ｄが隙間をもって順次係合され、舌片支持部２１上に各光制御部材２〜５の舌片１７〜２０が順次載置される。次いで、舌片留め具５０の両端部は、上面側突起５４が舌片留め具係合部２４の上壁２７にオーバーラップする高さ寸法であるため、図１３に示すように撓み変形させられた状態で舌片留め具係合部２４に係合される。尚、舌片留め具係合部２４の下壁２６ａは、舌片支持部２１と同一平面上に形成され、上壁２７との間に十分なスペースを確保できるようになっており、舌片留め具５０の弾性変形を容易にする。
【００４８】
次いで、舌片留め具５０が更に舌片留め具係合部２４に押し込まれると、図１２に示すように、舌片留め具５０が傾斜面５６，５７に沿って半時計回り方向へ倒れ込み、舌片留め具５０の舌片押さえ部５１側の先端が舌片２０と上壁２７との間の空間に案内され、舌片留め具５０と舌片留め具係合部２４との接触抵抗が低減すると共に、舌片留め具５０の変形抵抗が低減するため、舌片留め具５０を舌片留め具係合部２４内に更に深く押し込むことが容易になる。そして、舌片留め具５０が舌片留め具係合部２４の所定位置まで係合され、舌片留め具５０の舌片押さえ部５１が上面側突起５４を乗り越えると、舌片押さえ部５１が元の形状に復元すると共に、舌片留め具５０の係合穴５３に上面側突起５４と側面側突起５５とが係合し、舌片留め具５０がフレーム６に係止される。すなわち、舌片留め具５０は、舌片留め具係合部２４，上面側突起５４及び側面側突起５５によって、その動きが３次元的に制限される。これにより、舌片留め具５０は、フレーム６に確実に係止される。
【００４９】
尚、係合突起２３の高さ寸法は、複数の光制御部材２〜５と舌片留め具５０との板厚の和よりも僅かに大きな寸法に決定されている。そして、舌片留め具５０の舌片押さえ部５１側の先端には、係合突起２３との干渉を避け、舌片２０の穴２２ｄの周辺の浮き上がりを確実に押さえるため、略半円形状の係合凹所３５が形成されている。
【００５０】
一方、舌片留め具５０を舌片留め具係合部２４から取り外すには、図１２に示すように、舌片留め具５０の係合穴５３と上面側突起５４及び側面側突起５５との係合を解除するように舌片留め具５０を半時計回り方向へ倒れ込ませ、図１３に示すように、舌片留め具５０の幅方向両端部を撓み変形させた状態で舌片留め具係合部２４から引き抜く。これにより、舌片留め具５０をフレーム６（舌片留め具係合部２４）から取り外すことができ、面光源装置１の分解等が可能になる。ここで、運搬時等に面光源装置１に振動や衝撃が作用しても、舌片留め具５０を上述のように半時計回り方向へ倒れ込ますような力が舌片留め具５０に作用することがないから、舌片留め具５０が舌片留め具係合部２４（フレーム６）から離脱するようなことがない。
【００５１】
以上のように、本実施の形態の面光源装置１は、舌片留め具５０を舌片留め具係合部２４から取り外す場合、少なくとも舌片留め具５０の幅方向両端部を弾性変形させて、舌片留め具５０の係合穴５３と上面側突起５４及び側面側突起５５との係合を解除しなければならないようになっているため、舌片留め具５０が搬送時等に作用する振動や衝撃によってフレーム６から離脱するようなことがなく、前記第１の実施の形態と同様の効果を得ることができる。
【００５２】
尚、本実施の形態は、前記第１の実施の形態と同様に、係合突起２３が光制御部材２〜５の厚さ寸法の和よりも高くなるように形成され、係合突起２３と舌片留め具５０の舌片押さえ部５１とが高さ方向にオーバーラップするように形成されているため、舌片留め具５０をフレーム６から取り外さない限り、舌片１７〜２０の係合穴２２ａ〜２２ｄと係合突起２３の係合状態が解除されることがない。
【００５３】
（第２の実施の形態の応用例）
図１４は、本実施の形態の応用例を示す図である。すなわち、本応用例は、図９の側面側突起５５を形成せず、舌片留め具５０の側面プレート部５２の下端縁を折り曲げてフック６０を形成し、このフック６０をフレーム６のフック係合部６１に引っかけることにより、このフック６０と舌片留め具係合部２４で舌片留め具５０の浮き上がりを防止するようになっている。このような構成の本応用例も上述の各実施の形態と同様の効果を得ることができる。
【００５４】
［その他の実施の形態］
上記各実施の形態において、舌片１７〜２０は、第１〜第４の光制御部材２〜５の一縁に１箇所形成する態様を例示したが、これに限られるものではない。例えば、第４の光制御部材５は、図１５の（ａ）から（ｄ）に示すように舌片２０を複数形成するようにしてもよい。まず、図１５（ａ）は、テープ３７で固定される辺に対して反対側の辺に複数の舌辺２０，２０を形成する態様を示している。又、図１５（ｂ）は、図１５（ａ）のテープ３７の代わりに舌片２０を形成し、各舌片２０，２０，２０で三角形が形成されるようになっており、光制御部材５をフレームに安定して保持するようにした態様を示している。又、図１５（ｃ）は、図１５（ａ）のテープ３７の代わりに舌片２０を２箇所形成し、光制御部材５をフレームに安定して保持するようにした態様を示している。又、図１５（ｄ）は、図１のテープ３７の代わりに舌片２０を一箇所形成する態様を示している。尚、舌片２０の形成位置及び個数は、導光板８の出射面３６の大きさやその他の設計条件等に適宜変更することができる。
【００５５】
【発明の効果】
以上のように、本発明は、光制御部材の舌片の動きを制限する舌片留め具が、フレームに形成されたストッパを弾性変形させるか、又は、舌片留め具自体を弾性変形させる以外に、フレームの舌片留め具係合部から取り外すことができないようになっているため、搬送時等に振動や衝撃が作用しても、舌片留め具が振動や衝撃で舌片留め具係合部から外れてしまうようなことがない。したがって、本発明によれば、導光板及び光制御部材がフレーム内の所定部位に確実に保持され、光制御部材や導光板がバラバラになって傷付くようなことがなく、又、ゴミが光制御部材と導光板との間に侵入するのを防止できるので、異常発光等の照明不良がない高品質の面照明が可能になる。
【図面の簡単な説明】
【図１】本発明の第１の実施の形態に係る面光源装置の分解斜視図を示すものである。
【図２】本発明の第１の実施の形態に係る面光源装置の舌片支持部近傍の詳細を示す平面図である。
【図３】本発明の第１の実施の形態に係る面光源装置の舌片支持部近傍の詳細を示す断面図（図２のＡ−Ａ線に沿って切断して示す図）である。
【図４】本発明の第１の実施の形態に係る面光源装置の舌片支持部近傍の詳細を示す側面図（図２のＢ方向から見た図）である。
【図５】本発明の第１の実施の形態に係る面光源装置の舌片留め具をフレームに脱着する状態を示す断面図である。
【図６】本発明の第１の実施の形態に係る面光源装置の舌片留め具をフレームに脱着する状態を示す側面図である。
【図７】本発明の第１の実施の形態に係る舌片留め具を示す斜視図である。
【図８】本発明の第２の実施の形態に係る面光源装置の舌片支持部近傍の詳細を示す平面図である。
【図９】本発明の第２の実施の形態に係る面光源装置の舌片支持部近傍の詳細を示す断面図（図８のＣ−Ｃ線に沿って切断して示す図）である。
【図１０】本発明の第２の実施の形態に係る面光源装置の舌片支持部近傍の詳細を示す側面図（図９のＤ方向から見た図）である。
【図１１】本発明の第２の実施の形態に係る舌片留め具を示す斜視図である。
【図１２】本発明の第２の実施の形態に係る面光源装置の舌片留め具をフレームに脱着する状態を示す断面図である。
【図１３】本発明の第２の実施の形態に係る面光源装置の舌片留め具をフレームに脱着する状態を示す側面側の部分断面図であり、舌片留め具の舌片押さえ部の弾性変形状態を示す断面図である。
【図１４】本発明の第２の実施の形態の応用例に係る面光源装置の舌片支持部近傍の詳細を示す断面図であり、図９に対応する図である。
【図１５】その他の実施の形態に係る光制御部材の平面図である。
【図１６】従来の面光源装置の分解斜視図である。
【図１７】従来例を示す面光源装置の一部の分解斜視図である。
【図１８】他の従来例を示す面光源装置の一部の分解斜視図である。
【符号の説明】
１……面光源装置、２〜５……光制御部材、６……フレーム、８……導光板、１１……蛍光ランプ（光源）、１３……画像表示パネル、１４……画像表示装置、１７〜２０……舌片、２１……舌片支持部、２２ａ〜２２ｄ……長穴（貫通穴）、２３……係合突起、２４……舌片留め具係合部、２５，５０……舌片留め具、３０……ストッパ、３６……出射面、５１……舌片押さえ部、５２……側面プレート部、５３……係合穴、５４……上面側突起、５５……側面側突起、６０……フック、６１……フック係合部
【図１】
0003998173.tif 000002
【図２】
0003998173.tif 000003
【図３】
0003998173.tif 000004
【図４】
0003998173.tif 000005
【図５】
0003998173.tif 000006
【図６】
0003998173.tif 000007
【図７】
0003998173.tif 000008
【図８】
0003998173.tif 000009
【図９】
0003998173.tif 000010
【図１０】
0003998173.tif 000011
【図１１】
0003998173.tif 000012
【図１２】
0003998173.tif 000013
【図１３】
0003998173.tif 000014
【図１４】
0003998173.tif 000015
【図１５】
0003998173.tif 000016
【図１６】
0003998173.tif 000017
【図１７】
0003998173.tif 000018
【図１８】
0003998173.tif 000019